(57)【特許請求の範囲】
【請求項１】
内部に空間を有する箱状に形成され、前記空間を外部に露出させる開口と当該開口を覆う閉塞部材とを有し、前記開口の周縁は樹脂材で封止されており、前記空間と外部とを連通させる通気孔が取り付け面に形成された外郭と、
前記空間に収納される光源と、
弾性を有する多孔質材料で形成され、前記通気孔を覆うように前記取り付け面に設けられる蓋体と、
前記取り付け面が構造体の設置面に押圧された状態で、前記外郭を器具本体に取り付ける取り付け手段とを備えることを特徴とする照明装置。
【請求項２】
前記外郭は、前記取り付け面に凹部または凸部からなる第１の嵌合部が形成され、
前記構造体は、前記設置面に前記第１の嵌合部に嵌合する凹部または凸部からなる第２の嵌合部が形成され、
前記通気孔は、前記第１の嵌合部に形成されることを特徴とする請求項１記載の照明装置。
【請求項３】
前記外郭は、複数の前記第１の嵌合部を有し、
複数の前記第１の嵌合部のうち少なくとも１つが、他の全ての第１の嵌合部とは特定の一点に対して非対称な位置に形成されることを特徴とする請求項２記載の照明装置。
【請求項４】
前記第１，第２の嵌合部は、相対的な位置関係が特定の位置関係である場合にのみ嵌合するように形成されることを特徴とする請求項２または３記載の照明装置。
【請求項５】
前記第１，第２の嵌合部は、円柱状または円錐状または円錐台状の凹部または凸部からなることを特徴とする請求項２記載の照明装置。
【請求項６】
前記第１の嵌合部は、凹部で形成され、
前記第２の嵌合部は、凸部で形成されることを特徴とする請求項２乃至５のうちいずれか１項に記載の照明装置。
【請求項７】
請求項１乃至６のうちいずれか１項に記載の照明装置と、
前記照明装置が取り付けられる構造体とを備えることを特徴とする照明器具。
【発明の詳細な説明】
【技術分野】
【０００１】
本発明は、照明装置および照明器具に関するものである。
【背景技術】
【０００２】
従来より、玄関ポーチ，軒下，浴室等で使用するために防水・防滴性能を有する照明装置が提供されている。このような照明装置では、熱硬化型樹脂および化学反応型樹脂（具体的には、一液型・二液型シリコーンやポリウレタン等）を用いて隙間を封止し、光源が収納された器体を密閉することで防水性を確保している（例えば、特許文献１参照）。
【０００３】
特許文献１では、光学部材と放熱ケースの外周縁との間の溝をシリコーン樹脂でコーキングし、ケーブル取出部はグロメット（ケーブル保護部材）を取り付けることで防水性を確保している。しかし、特許文献１の構成では、グロメットの離脱防止用部品が必要なため、部品点数が増加しコストが増加するとともに、照明装置の形状が大きくなるという問題がある。また、グロメットにゴムを用いる場合、ゴムの弾性を保つために硫黄が添加される。しかし、光源（ＬＥＤ）の反射板に多く用いられている銀が、硫黄と化学反応を起して反射率が低下し、ＬＥＤの光束が低下するという問題もある。
【０００４】
そこで、グロメットの代わりにシリコーン樹脂を充填した構成がある（例えば、特許文献２参照）。特許文献２では、器体に口出し線を挿通させる挿通孔が形成されており、この器体の内部にシリコーン樹脂を充填することで挿通孔を塞いでいる。さらに、器体とレンズとの隙間にシリコーン樹脂を用いてコーキングすることで、器体を密閉し、防水性を確保している。
【先行技術文献】
【特許文献】
【０００５】
【特許文献１】特開２０１０−３３７５７号公報
【特許文献２】特許第４５５２８９７号公報
【発明の概要】
【発明が解決しようとする課題】
【０００６】
しかし、器体とレンズとの隙間にシリコーン樹脂を用いて器体を密閉する場合、シリコーン樹脂の自重によって器体内部にシリコーン樹脂が流れ込み、器体内部の空気圧が上昇するおそれがある。この空気圧の上昇によって、器体内の空気がシリコーン樹脂を介して外部へ排出され、シリコーン樹脂に穴が形成される。すなわち、シリコーン樹脂を用いたコーキングの確実性が低く、防水性が低下するという問題があった。
【０００７】
本発明は、上記事由に鑑みてなされたものであり、その目的は、樹脂材を用いたコーキングの確実性を向上させることができる照明装置および照明器具を提供することにある。
【課題を解決するための手段】
【０００８】
本発明の照明装置は、内部に空間を有する箱状に形成され、前記空間を外部に露出させる開口と当該開口を覆う閉塞部材とを有し、前記開口の周縁は樹脂材で封止されており、前記空間と外部とを連通させる通気孔が取り付け面に形成された外郭と、前記空間に収納される光源と、弾性を有する多孔質材料で形成され、前記通気孔を覆うように前記取り付け面に設けられる蓋体と、前記取り付け面が構造体の設置面に押圧された状態で、前記外郭を器具本体に取り付ける取り付け手段とを備えることを特徴とする。
【０００９】
この照明装置において、前記外郭は、前記取り付け面に凹部または凸部からなる第１の嵌合部が形成され、前記構造体は、前記設置面に前記第１の嵌合部に嵌合する凹部または凸部からなる第２の嵌合部が形成され、前記通気孔は、前記第１の嵌合部に形成されることが好ましい。
【００１０】
この照明装置において、前記外郭は、複数の前記第１の嵌合部を有し、複数の前記第１の嵌合部のうち少なくとも１つが、他の全ての第１の嵌合部とは特定の一点に対して非対称な位置に形成されることが好ましい。
【００１１】
この照明装置において、前記第１，第２の嵌合部は、相対的な位置関係が特定の位置関係である場合にのみ嵌合するように形成されることが好ましい。
【００１２】
この照明装置において、前記第１，第２の嵌合部は、円柱状または円錐状または円錐台状の凹部または凸部からなることが好ましい。
【００１３】
この照明装置において、前記第１の嵌合部は、凹部で形成され、前記第２の嵌合部は、凸部で形成されることが好ましい。
【００１４】
本発明の照明器具は、内部に空間を有する箱状に形成され、前記空間を外部に露出させる開口と当該開口を覆う閉塞部材とを有し、前記開口の周縁は樹脂材で封止されており、前記空間と外部とを連通させる通気孔が取り付け面に形成された外郭と、前記空間に収納される光源と、弾性を有する多孔質材料で形成され、前記通気孔を覆うように前記取り付け面に設けられる蓋体と、前記取り付け面が構造体の設置面に押圧された状態で、前記外郭を器具本体に取り付ける取り付け手段とを備える照明装置と、前記照明装置が取り付けられる構造体とを備えることを特徴とする。
【発明の効果】
【００１５】
以上説明したように、本発明では、樹脂材を用いたコーキングの確実性を向上させることができるという効果がある。
【図面の簡単な説明】
【００１６】
【図１】本発明の実施形態１の照明装置および照明器具の断面図である。
【図２】実施形態２の照明装置および照明器具の断面図である。
【図３】実施形態３の照明装置および照明器具の断面図である。
【図４】実施形態４の照明装置および照明器具の断面図である。
【図５】実施形態５の照明装置および照明器具の断面図である。
【発明を実施するための形態】
【００１７】
以下、本発明の実施の形態を図面に基づいて説明する。
【００１８】
（実施形態１）
本実施形態の照明装置１００および照明器具３００の構成を示す断面図を図１に示す。なお、図１における上下左右方向を、上下左右方向と規定して以下説明する。
【００１９】
本実施形態の照明装置１００は、外郭１０と光源２０と蓋体３０と取付けネジ４０とで構成されたＬＥＤユニットである。そして、照明装置１００と、この照明装置１００が取り付けられる器具本体２００とで照明器具３００を構成するものである。
【００２０】
外郭１０は、本体１１とレンズホルダー１２とレンズ１３とで構成されている。そして、外郭１０は、本体１１とレンズホルダー１２とレンズ１３とで囲われた空間１４を有する箱状に形成されている。この空間１４には、光源２０が収納される。
【００２１】
本体１１は、外郭１０の下面を構成しており、アルミダイカスト等の金属，セラミック，プラスチック等で形成される。本体１１は、外郭１０の下面を構成する板状の基板１１ａと、基板１１ａの上面に形成される台座１１ｂとで構成される。台座１１ｂは、基板１１ａの上面の中央部に形成され、上面に光源２０が設けられる。また、基板１１ａの上面には、台座１１ｂと離間した状態で、台座１１ｂを周方向に沿って囲うレンズホルダー１２が設けられている。
【００２２】
光源２０は、アルミをベースとした板材に直接ＬＥＤ素子（発光ダイオード）を実装したＬＥＤパッケージで構成されている。そして、光源２０は、アルミ等の金属やガラスエポキシ材をベースにしたプリント基板２１に半田接合を用いて実装される。このプリント基板２１は、接着剤，ネジ締め，溶接等で台座１１ｂの上面に固定される。なお、光源２０（ＬＥＤパッケージ）およびプリント基板２１のベースに用いる板材には、セラミックやポリイミド等が用いられていてもよい。
【００２３】
また、外部電源（図示なし）から光源２０への電源供給は、リード線５０を介して行われる。基板１１ａには挿通孔１１１が形成されており、リード線５０を、挿通孔１１１に挿通することで、外部電源と空間１４内に設けられた光源２０とを電気的に接続することができる。プリント基板２１には、リード線５０の一端に設けられたコネクタ５１が接続されるコネクタ（図示なし）が実装されており、このコネクタは光源２０に電気的に接続されている。そして、リード線５０の他端に設けられたコネクタ５２が外部電源に接続されることで、光源２０に電源供給されて点灯する。なお、コネクタを備えず、リード線５０の一端が、プリント基板２１や光源２０に直接半田接合された構成でもよい。
【００２４】
レンズホルダー１２は、台座１１ｂを周方向に沿って囲う筒状に形成され、基板１１ａの上面に設けられており、外郭１０の側面を構成する。また、レンズ１３は、レンズホルダー１２の開口を覆うように設けられ，外郭１０の上面を構成する。
【００２５】
レンズホルダー１２は、外筒１２ａと、外筒１２ａの内周面に形成される内筒１２ｂとで構成されている。内筒１２ｂの上端は、外筒１２ａの上端よりも下方に位置している。内筒１２ｂの内径は、レンズ１３の直径よりも短く形成されており、内筒１２ｂの開口を覆うようにレンズ１３が内筒１２ｂの上端面に載置される。また、外筒１２ａは、内径がレンズ１３の直径よりも長く形成されており、内筒１２ｂの上端面に載置されたレンズ１３の位置ずれを防止する。
【００２６】
レンズ１３（閉塞部材）は、透明ガラス，アクリル樹脂，ポリカーボネート樹脂等で形成されており、光源２０の光を外部に照射する。
【００２７】
また、本実施形態の基板１１ａには、外郭１０の外部と空間１４とを連通させる通気孔１１２が複数（図示例では２つ）形成されている。そして、蓋体３０が、通気孔１１２を覆うように基板１１ａの下面に設けられている。なお、基板１１ａの下面が本発明の取り付け面に相当する。
【００２８】
蓋体３０は、発泡熱可塑性ポリウレタンやポリオレフィン発泡体ゴムスポンジ等の弾性を有する多孔質材料（連続気泡材料）で構成されており、所定の厚みを有する板状に形成され、基板１１ａの下面に設けられている。また、蓋体３０は、レンズホルダー１２の開口と略同一の大きさに形成されており、基板１１ａを介してレンズホルダー１２の開口を覆うように設けられている。したがって、蓋体３０は、基板１１ａに形成された複数の通気孔１１２の全てを覆っている。なお、蓋体３０は、挿通孔１１１と対向する位置に挿通孔３１が形成されており、リード線５０が挿通される。
【００２９】
また、基板１１ａには、基板１１ａの周縁とレンズホルダー１２との間に複数（図示例では２つ）の挿通孔１１３が形成されている。取付けネジ４０は、挿通孔１１３を介して器具本体２００に形成されたネジ穴２１１に螺合する。これにより、照明装置１００が器具本体２００に取り付けられる。
【００３０】
器具本体２００（構造体）は、上面が開口したすり鉢状に形成されており、照明装置１００が取り付けられる底部２０１と、照明装置１００を周方向に沿って囲う側部２０２とで構成されている。底部２０１の上面に取付けネジ４０が螺合されるネジ穴２１１が形成されている。なお、底部２０１の上面が本発明の設置面に相当する。
【００３１】
そして、照明装置１００と、この照明装置１００が取り付けられる器具本体２００とで照明器具３００を構成している。
【００３２】
次に、照明装置１００および照明器具３００の組み立てについて説明する。
【００３３】
まず、本体１１の基板１１ａの下面に蓋体３０を取り付ける。次に、本体１１の台座１１ｂの上面に、光源２０が実装されたプリント基板２１を固定する。そして、挿通孔１１１，３１にリード線５０を挿通し、コネクタ５１をプリント基板２１に実装されたコネクタに接続する。
【００３４】
次に、基板１１ａの上面にレンズホルダー１２を組み付ける。そして、基板１１ａとレンズホルダー１２との隙間および挿通孔１１１を、レンズホルダー１２の内側からシリコーン系接着剤やポリウレタン系接着剤等で構成された樹脂材１５でコーキングする。これにより、基板１１ａとレンズホルダー１２との隙間および挿通孔１１１を介して、空間１４内に水が浸入することを防止することができる。
【００３５】
次に、レンズホルダー１２の開口を覆うように、レンズ１３をレンズホルダー１２に組み付ける。これにより、本体１１とレンズホルダー１２とレンズ１３とで囲われた空間１４を有する外郭１０が形成される。
【００３６】
そして、レンズホルダー１２とレンズ１３との隙間を、シリコーン系接着剤やポリウレタン系接着剤で構成された樹脂材１６を用いてコーキングする。すなわち、レンズホルダー１２の開口周縁を樹脂材１６で封止する。
【００３７】
このとき、樹脂材１６の自重によって空間１４内に樹脂材１６が流れ込んだ場合、空間１４の体積が減少する。しかし、本実施形態では、外郭１０の外部と空間１４とを連通させる通気孔１１２が形成されている。この通気孔１１２は、蓋体３０で覆われているが、蓋体３０は多孔質材料で形成されているので、通気性を有していることとなる。したがって、空間１４の体積が減少しても、通気孔１１２および蓋体３０を介して空間１４内の空気が排出されるので、空間１４内の空気圧の上昇が抑制される。空間１４内の空気圧の上昇が抑制されることによって、樹脂材１６は、穴が形成されることなく良好な状態を維持することができるので、レンズホルダー１２とレンズ１３との隙間を確実にコーキングし、防水性を確保することができる。
【００３８】
次に、組み立てた照明装置１００を器具本体２００に取り付ける。取付けネジ４０を、基板１１ａに形成された挿通孔１１３を介して、器具本体２００の底部２０１に形成されたネジ穴２１１に螺合することで外郭１０が器具本体２００に取り付けられる。
【００３９】
このとき、取付けネジ４０が螺合されることによって、基板１１ａが底部２０１に押圧された状態、すなわち、基板１１ａの下面（取付け面）が底部２０１の上面（設置面）に押圧された状態で外郭１０が器具本体２００に取り付けられる。したがって、基板１１ａの下面に取り付けられた蓋体３０が上下方向に圧縮される。蓋体３０は、多孔質材料（連続気泡材料）で構成されているので、圧縮されることで気泡が潰された状態となり水分子を通さなくなる。すなわち、照明装置１００が器具本体２００に取り付けられることによって、蓋体３０が圧縮されて通気孔１１２を塞ぐので、通気孔１１２を介して空間１４内に水が浸入することを防止することができる。これにより、空間１４を密閉することができ、照明装置１００の防水性を確保することができる。
【００４０】
このように、本実施形態では、通気孔１１２を開放した状態で外郭１０の隙間を樹脂材１５，１６でコーキングした後、多孔質材料からなる蓋体３０を圧縮することで通気孔１１２を塞いで空間１４を密閉する。これにより、樹脂材１５，１６を用いてコーキングする際における、空間１４内の空気圧の上昇が抑制されるので、樹脂材１５，１６を用いたコーキングの確実性を向上させることができる。したがって、製造工程の歩留まりが向上し、管理面のコストが低減できるので、安価な照明装置１００および照明器具３００を提供することができる。
【００４１】
（実施形態２）
本実施形態の照明装置１００および照明器具３００の構成を示す断面図を図２に示す。本実施形態では、照明装置１００および器具本体２００に、互いに嵌合する位置決め用の嵌合部を形成し、この嵌合部に通気孔１１２を形成することに特徴を有する。なお、実施形態１と同様の構成については、同一符号を付して説明を省略する。
【００４２】
照明装置１００は、基板１１ａの下面に凹部１１４（第１の嵌合部）が形成されている。この凹部１１４の底面に、外郭１０の外部と空間１４とを連通させる通気孔１１２が形成されている。そして、蓋体３０は、通気孔１１２を覆うように、凹部１１４に収納されている。
【００４３】
また、器具本体２００は、底部２０１の上面に凹部１１４と嵌合する凸部２１２（第２の嵌合部）が形成されている。
【００４４】
そして、実施形態１と同様に、照明装置１００を組み立てるとき、通気孔１１２が開放された状態で樹脂材１５，１６を用いてコーキングする。したがって、空間１４内の空気圧の上昇が抑制されるので、樹脂材１５，１６を用いたコーキングの確実性を向上させることができる。
【００４５】
そして、照明装置１００を器具本体２００に取り付ける際に、凹部１１４が凸部２１２に嵌合するように照明装置１００の位置合わせを行い、取付けネジ４０をネジ穴２１１に螺合する。このとき、凹部１１４の底面が凸部２１２の上端面に押圧されるので、蓋体３０が上下方向に圧縮されて通気孔１１２を塞ぐので、通気孔１１２を介して空間１４内に水が浸入することを防止することができる。これにより、空間１４を密閉することができ、照明装置１００の防水性を確保することができる。
【００４６】
このように、本実施形態では、位置決め用に形成した凹部１１４に通気孔１１２を形成し、この凹部１１４に蓋体３０を収納しているので、蓋体３０を小型化することができ、材料費を削減することができる。また、蓋体３０は、凹部１１４に収納されているので、蓋体３０の位置ずれを防止することができる。
【００４７】
なお、本実施形態では、照明装置１００に凹部１１４を形成し、器具本体２００に凸部２１２を形成しているが、照明装置１００に凸部を形成し、この凸部に嵌合する凹部を器具本体２００に形成した構成でもよい。
【００４８】
（実施形態３）
本実施形態の照明装置１００および照明器具３００の構成を示す断面図を図３に示す。本実施形態では、凹部１１４が２つ形成されており、この凹部１１４が形成される位置に特徴を有する。なお、実施形態２と同様の構成については、同一符号を付して説明を省略する。
【００４９】
照明装置１００は、基板１１ａの下面に凹部１１４が２つ形成されている。各凹部１１４は、実施形態２と同様に、底面に通気孔１１２が形成され、この通気孔１１２を覆うように蓋体３０を収納している。なお、２つの凹部１１４を区別する場合、基板１１ａの外周縁側に形成された凹部を１１４ａ、基板１１ａの中央側に形成された凹部を１１４ｂとする。
【００５０】
凹部１１４ａ，１１４ｂは、基板１１ａの下面の中心に対して互いに非対称な位置に形成されている。また、器具本体２００は、底部２０１の上面において、凹部１１４ａ，１１４ｂに嵌合する凸部２１２ａ，２１２ｂが形成されている。
【００５１】
そして、照明装置１００を器具本体２００に取り付ける際に、凹部１１４ａ，１１４ｂが凸部２１２ａ，２１２ｂに嵌合するように、器具本体２００に対する照明装置１００の位置を特定の位置に調節する必要がある。これにより、照明装置１００を器具本体２００に取り付ける際の誤取付けを防止することができる。
【００５２】
なお、本実施形態では凹部１１４が２つ形成されているが、さらに複数の凹部１１４が形成されていてもよい。この場合、複数の凹部１１４のうち少なくとも１つの凹部１１４が、他の全ての凹部１１４とは基板１１ａの下面の中心に対して非対称な位置に形成される。これにより、器具本体２００に対する照明装置１００の位置を特定の位置にする必要があり、照明装置１００を器具本体２００に取り付ける際の誤取付けを防止することができる。
【００５３】
（実施形態４）
本実施形態の照明装置１００および照明器具３００の構成を示す断面図を図４に示す。本実施形態では、凹部１１４，凸部２１２の形状に特徴を有する。なお、実施形態２と同様の構成には同一符号を付して説明を省略する。
【００５４】
本実施形態の凹部１１４は、第１〜第３の凹部１１４Ａ〜１１４Ｃが組み合わされて形成されている。第１の凹部１１４Ａは、基板１１ａの下面に形成されている。第２の凹部１１４Ｂは、第１の凹部１１４Ａの底面に形成されている。第３の凹部１１４Ｃは、第１の凹部１１４Ａの底面において、第２の凹部１１４Ｂとは離間した位置に形成されている。また、第３の凹部１１４Ｃは、底面に通気孔１１２が形成され、この通気孔１１２を覆う蓋体３０を収納している。
【００５５】
また、凸部２１２は凹部１１４に嵌合するように、第１〜第３の凸部２１２Ａ〜２１２Ｃが組み合わされて形成されている。第１の凸部２１２Ａは、底部２０１の上面に形成され、第１の凹部１１４Ａに嵌合する。第２の凸部２１２Ｂは、第１の凸部２１２Ａの上面に形成され、第２の凹部１１４Ｂに嵌合する。第３の凸部２１２Ｃは、第１の凸部２１２Ａの上面において、第２の凸部２１２Ｂとは離間した位置に形成され、第３の凹部１１４Ｃに嵌合する。
【００５６】
凹部１１４，凸部２１２の形状を上記のように形成することで、凹部１１４と凸部２１２の相対的な位置関係が特定の位置関係である場合にのみ、第１〜第３の凹部１１４Ａ〜１１４Ｃの各々と第１〜第３の凸部２１２Ａ〜２１２Ｃの各々とが嵌合する。したがって、照明装置１００を器具本体２００に取り付ける際に、器具本体２００に対する照明装置１００の位置を特定の位置にする必要があり、照明装置１００の誤取付けを防止することができる。
【００５７】
（実施形態５）
本実施形態の照明装置１００および照明器具３００の構成を示す断面図を図５に示す。本実施形態では、凹部１１４，凸部２１２が円柱状に形成されていることに特徴を有する。なお、実施形態２と同様の構成には同一符号を付して説明を省略する。
【００５８】
本実施形態では、基板１１ａの下面の中心に円柱状の凹部１１４が形成されている。凹部１１４は、底面に通気孔１１２ａが形成され、この通気孔１１２ａを覆うように蓋体３０を収納している。また、台座１１ｂには、通気孔１１２ａに連続する通気孔１１２ｂが形成されている。さらに、台座１１４ｂの上面に設けられたプリント基板２１には、通気孔１１２ｂと対向する位置に通気孔２２が形成されている。すなわち、通気孔１１２ａ，１１２ｂ，２２とが本願発明の通気孔に相当し、外郭１０の外部と空間１４とを連通させている。
【００５９】
また、器具本体２００の底部２０１の上面に形成される凸部２１２は、凹部１１４に嵌合するように円柱状に形成されている。
【００６０】
したがって、凸部２１２を軸として照明装置１００を回転させることができるので、器具本体２００に対する照明装置１００の角度を任意に設定することができる。例えば、図５の破線矢印Ｙ１に示すように、光の照射方向が斜め方向となるように照明装置１００を構成した場合、凸部２１２を軸として照明装置１００を回転させることで、ユーザーの好みに応じて光の照射方向を変更することができる。
【００６１】
また、器具本体２００に、複数の凸部２１２を設けた場合、凹部１１４を嵌合させる凸部２１２を変更することで、照明装置１００の取り付け位置を変更することができる。
【００６２】
なお、凹部１１４および凸部２１２は、円錐状または円錐台状に形成されていてもよい。
【符号の説明】
【００６３】
１０  外郭
１１  本体
１２  レンズホルダー
１３  レンズ（閉塞部材）
１４  空間
１５，１６  樹脂材
１１２  通気孔
２０  光源
３０  蓋体
４０  取付けネジ（取り付け手段）
１００  照明装置
２００  器具本体（構造体）
３００  照明器具
【図１】
0005887532.tif 000002
【図２】
0005887532.tif 000003
【図３】
0005887532.tif 000004
【図４】
0005887532.tif 000005
【図５】
0005887532.tif 000006